(57)【要約】  【課題】  頭冠とキャップ本体との係合を、キャップ本体の先端に頭冠の後端を挿入し、次いで、その頭冠の外面に設けた突出部がキャップ本体の内面に設けた環状突起を乗り越えることによってなしている。しかし、この様な頭冠とキャップ本体との係合方法にあっては、頭冠のキャップ本体に対する露出部分が少なく、デザイン上の制約を受けてしまっていた。  【解決手段】  キャップ本体と頭冠との連結構造であって、キャップ本体の長手方向に係合部を形成すると共に、その係合部に係合する係合受部を頭冠に形成し、それら係合部と係合受部を前記キャップ本体の中心軸線から外れた位置に形成したキャップ本体と頭冠との連結構造。【選択図】  図１
2007296667.tif 000002
【特許請求の範囲】
【請求項１】
キャップ本体と頭冠との連結構造であって、キャップ本体の長手方向に係合部を形成すると共に、その係合部に係合する係合受部を頭冠に形成し、それら係合部と係合受部を前記キャップ本体の中心軸線から外れた位置に形成したことを特徴とするキャップ本体と頭冠との連結構造。
【請求項２】
前記頭冠にクリップを設けたことを特徴とするキャップ本体と頭冠との連結構造。
【請求項３】
前記係合部と係合受部とを中心軸線よりもクリップ側に設けたことを特徴とするキャップ本体と頭冠との連結構造。
【発明の詳細な説明】
【技術分野】
【０００１】
本発明は、キャップ本体と頭冠との連結構造に関するものであり、特に、クリップが頭冠に設けられたたキャップ本体との連結構造に関する。
【背景技術】
【０００２】
１例として、内キヤツプを内在させたキヤツプ本体の取付部にクリップの折曲片を挿入し、頭冠の装着によりクリップを固定する構造の筆記具用キヤツプにおいて、上端部の１個所に凹欠部を形成して前記凹欠部に連通する中心孔となる空間を残して、上端部に内向の周縁が設けられたパイプ状キヤツプ本体の凹欠部に、帯状金属板の一端をコ字形状に折曲げたクリップのコ字形部をまたがせ、一方、有蓋かつ気密性のペン先の収容部と頭冠の環状凸部を備えた突出部を挿着させるための、内側壁に環状突起を備えた挿着部からなる筒体の外側壁に軸方向の帯状溝を設けてなる内キヤツプを前記パイプ状キヤツプ本体中に、帯状溝とクリップの脚片とが合致するよう嵌挿した状態で頭冠の突出部をパイプ状キヤツプ本体の中心孔に挿入して、頭冠の環状凸部を内キヤツプの環状突起を越えて係合させることによりクリップを一体的に固定されるようにした筆記具用キヤツプの構造がある。
【０００３】
【特許文献１】実公昭５９−１７６７５号公報。
【発明の開示】
【発明が解決しようとする課題】
【０００４】
前記の従来技術にあっては、頭冠とキャップ本体との係合を、キャップ本体の先端に頭冠の後端を挿入し、次いで、その頭冠の外面に設けた突出部がキャップ本体の内面に設けた環状突起を乗り越えることによってなしている。しかし、この様な頭冠とキャップ本体との係合方法にあっては、頭冠のキャップ本体に対する露出部分が少なく、デザイン上の制約を受けてしまっていた。
そこで、前記頭冠をキャップ本体とは反対方向の後方に向けて延設すると共に、その延設部分にクリップなどを形成する試みもなされたが、クリップが操作されそのクリップがキャップ本体から離隔した際、てこの原理が発生し、クリップとともに頭冠がキャップ本体から抜け出てしまう危険性があった。
【課題を解決するための手段】
【０００５】
本発明は、キャップ本体と頭冠との連結構造であって、キャップ本体の長手方向に係合部を形成すると共に、その係合部に係合する係合受部を頭冠に形成し、それら係合部と係合受部を前記キャップ本体の中心軸線から外れた位置に形成したことを要旨とする。
【発明の効果】
【０００６】
本発明は、キャップ本体と頭冠との連結構造であって、キャップ本体の長手方向に係合部を形成すると共に、その係合部に係合する係合受部を頭冠に形成し、それら係合部と係合受部を前記キャップ本体の中心軸線から外れた位置に形成したので、頭冠にデザイン上の制約もなく、また、安定したキャップ本体と頭冠との連結構造が得られる。
【発明を実施するための最良の形態】
【０００７】
ボールペンの先端を覆うキャップの例であるが、マーキングペンやシャープペンシルの先端を覆うキャップであっても良い。
軸筒１の内部には、油性インキなどを収容したボールペンリフィル２が配置されており、そのボールペンリフィル２の前端（図中、上方）に取り付けられているボールペンチップ３が、前記軸筒１の先部４から突出している。その先部４の中間部外周には、後述するキャップが嵌合する環状突起５が形成されている。一方、軸筒１の後部（図中、下方）には、尾栓６が螺合などの手段によって着脱自在に取り付けられており、その尾栓６の内面に前記リフィル２の後端部が圧入されることによって、そのリフィル２の軸筒１に対する移動が規制されている。符号７は、軸筒１の把持する部分に挿着されたゴム状弾性体からなるグリップ部材である。
前記軸筒１の前方部には、ボールペンチップ３を覆うようにキャップ８が着脱自在に取り付けられている。そのキャップ８は、キャップ本体９と頭冠１０とより基本的に構成されている。以下、詳述する。キャップ本体９の中間部内面には、前記軸筒１の環状突起５と係脱する凹凸部１１が円周上ではあるが、部分的な位置に形成されている。また、キャップ本体９の内面上方には、前記ボールペンチップ３の先端部（筆記部）を密閉するエラストマーやシリコーンゴムなどの弾性体からなるシール部材１２が配置されているが、そのシール部材１２はキャップ本体９の内面に形成されたリブ１３に圧入され支えられている。また、キャップ本体９の前方部には縮径部１４が形成されているが、その縮径部１４の外周部には後述するクリップの方向に向けて低く傾斜する傾斜面１５が形成されているが、その傾斜面は円弧状の傾斜面部となっている。符号１６は、キャップ本体９に形成された貫通孔であって、前記軸筒１が挿入される後端部から前端部に架けて形成されており、前記シール部材１２が変形した際の逃げ空間部ともなっている。
前記キャップ本体９の縮径部１４の外面の中間部には、外周リブ１７が形成されており、また、キャップ本体９の長手方向における中心軸線から離れた位置には、その中心軸線と平行に係合突起１８が前記キャップ本体９の外周縁部を超えない範囲で形成されている。その係合突起１８の頂部１９は前端が尖った山形状をなしており、その頂部１９は前記縮径部１４の前端部２０に達している。次に説明する頭冠の溝が嵌まり込み易くしているのである。
【０００８】
前記キャップ本体８の縮径部１４には、頭冠１０が連結・固定されている。その頭冠１０について説明する。頭冠１０の内面には、前記キャップ本体９の外周リブ１７を乗り越え係合する内周リブ２１が形成されており、その内周リブ２１と交差するように前記係合突起１８が嵌まり込む係合溝２２が形成されている。また、頭冠１０の後端には、前記キャップ本体８の傾斜面１５に合致すべく傾斜面２３が形成されている。符号２４は、頭冠１０に一体形成されたクリップであるが、各々を別部材で構成し、接着や係合、螺合と言った手段で固定しても良い。
前記キャップ本体８の外周リブ１７の前方部は、前方に向けて縮径する円錐部２５が形成されている。一方、外周リブ１７の後端部は垂直に切り落とされた段部となっている。頭冠１０をキャップ本体８に組み付け易くしているとともに、組み付け後においては抜けにくい構造としている。
尚、本例においては、前記キャップ８の係合突起１８と頭冠１０の係合溝２２を、キャップ本体８の中心軸線に対して外れた位置であって、クリップ２４の近い側に平行に設けたが、クリップ２４とは反対側、即ち、遠い側に設けても良い。しかし、前記互いの係合部（係合突起、係合溝）をクリップ２４の近い側に設けた方が、クリップ２４をキャップ本体８から持ち上げ、離隔させた際、前記係合突起１８と係合溝２２との係合による引っ掛かり作用が向上し、その結果、キャップ本体８からの頭冠１０の脱落防止作用が向上する。
また、キャップ本体８の係合溝を形成する一方、その係合溝に嵌まり込む係合突起を頭冠１０に形成しても良いが、射出成形などによって形成する場合には、肉厚差が大きい部分が形成され、その結果、成形品の外観にひけと称される凹部が発生してしまう可能性がある。よって、本実施例のようにキャップ本体８に係合突起を、頭冠１０に係合溝を形成するのが好ましい。
【０００９】
第２例を図６に示し説明する。キャップ本体２６の縮径部１４には、前例と同様に長手方向における中心軸線から離れた位置であって、その中心軸線と平行に係合突起２７が形成されているが、前記第１例のように縮径部１４の長手方向の全域に亘って形成されているのではなく、中間部までしか形成されていない。また、縮径部１４の前方部には、螺旋状のリブ（雄ねじ）２８が形成されているが、その螺旋状のリブ２８は、後方に向かって順次時低く形成されている。本例において、その螺旋状のリブは、１周のみの形成となっているが、これに限定されることなく、２周や３周形成しても良い。
一方、頭冠２９の内面には、前記キャップ本体２６の係合突起２７が嵌まり込む係合溝が形成されており（図示せず）、また、螺旋状のリブ２８と係合する螺旋状の溝（雌ねじ）３０が形成されているが、その螺旋状の溝３０は、頭冠２９の開口部側の浅い溝３０ａと、先端側（底部側）の深い溝３０ｂから構成されており、それら浅い溝３０ａと深い溝３０ｂは、独立した位置に形成されている。
本例においては、頭冠２９をキャップ本体２６に組み付ける際、先ず、キャップ本体２６が頭冠２９の浅い溝３０ａの終点まで螺合して位置決めされる。その後、圧入により、キャップ本体２６に形成された螺旋状のリブ２８が頭冠２９の浅い溝３０ａを乗り越え、深い溝３０ｂに没入し係合する。その結果、キャップ本体２９の方向を視認しなくても、そのキャップ本体２６と頭冠２９との位置決めができ、もって、生産性の向上が図れるものとなっている。また、前記の螺合させる動作は機械でも行える為、その機械によっても位置決めができ、その組み付け作業を機械化することも容易にできる。
【００１０】
第３例を図７に示し説明する。キャップ本体３１の縮径部１４の中間部には、前記傾斜面１５に沿って外面突起３２が形成されている。一方、頭冠３３の内面には、前記外面突起３２を乗り越え・係合する内面突起３４が形成されている。勿論、その内面突起３４も頭冠３３の傾斜面２３に沿って形成されている。そして、これら外面突起３２と内面突起３４との係合によって、頭冠３３のキャップ本体３１からの脱落が防止されている。傾斜した突起同士のみを係合させることによって、頭冠３３のキャップ本体３１に対する脱落が防止されると共に、相対的な回転も防止されるものとなっている。
本例においては、クリップ２４の玉部３５から外面突起３２と内面突起３４との係合部までの距離が短くなり、即ち、玉部（力点）３５から係合部（作用点）３２、３４までの距離が短くなる為、クリップ２４を持ち上げ、キャップ本体３１から離隔させた際、てこの作用によって働く、玉部（力点）３５を持ち上げる力と同方向に係合部（作用点）が持ち上げられようとする力とが小さくなり、その結果、頭冠３３のキャップ本体３１に対する脱落防止効果が向上する。
【図面の簡単な説明】
【００１１】
【図１】本発明の１例を示す縦断面図。
【図２】キャップ本体を示す側面図。
【図３】図２の上面図。
【図４】頭冠を示す縦断面図。
【図５】図４の底面図。
【図６】第２例を示す要部断面斜視図。
【図７】第３例を示す要部縦断面図。
【符号の説明】
【００１２】
１      軸筒
２      ボールペンリフィル
３      ボールペンチップ
４      先部
５      環状突起
６      尾栓
７      グリップ部材
８      キャップ
９      キャップ本体
１０    頭冠
１１    凹凸部
１２    シール部材
１３    リブ
１４    縮径部
１５    傾斜面
１６    貫通孔
１７    外周リブ
１８    係合突起
１９    頂部
２０    前端部
２１    内周リブ
２２    係合溝
２３    傾斜面
２４    クリップ
２５    円錐部
２６    キャップ本体
２７    係合突起
２８    螺旋状のリブ
２９    頭冠
３０    螺旋状の溝
３１    キャップ本体
３２    外面突起
３３    頭冠
３４    内面突起
３５    玉部
【図１】
2007296667.tif 000003
【図２】
2007296667.tif 000004
【図３】
2007296667.tif 000005
【図４】
2007296667.tif 000006
【図５】
2007296667.tif 000007
【図６】
2007296667.tif 000008
【図７】
2007296667.tif 000009